(57)【要約】  ヘッドトップとシールドとを含むヘッドギアで使用するための旋回アセンブリ、及びこの旋回アセンブリを使用してヘッドトップをシールドに結合する方法。この旋回アセンブリは、ハウジングと、ハウジング内に受容されるように寸法決めされ、複数個の第１係合機構を有するソケットと、第１係合機構に係合するように適合された複数個の第２係合機構を有する支柱とを含み得る。更に旋回アセンブリは、ハウジング内に受容されるように寸法決めされ、第１係合機構及び第２係合機構を付勢して係合させる一方で、支柱とソケットとの間の相対回転を可能にするバネを含む。方法は、ソケットを第１の方向でハウジング内に移動させる工程と、第１の方向とは異なる第２の方向で、ソケットとの係合に向けて支柱を移動させる工程と、バネを第１の方向でハウジング内に移動させる工程と、を含む。
2011516741.tif 000002
【特許請求の範囲】
【請求項１】
ヘッドギア用旋回アセンブリであって、前記ヘッドギアがヘッドトップ及びシールドを含み、前記旋回アセンブリは、
前記ヘッドトップに結合するように適合されたハウジングであって、内側部を含む、前記ハウジングと、
前記ハウジングの前記内側部内に受容されるように寸法決めされたソケットであって、複数個の第１係合機構を含む前記ソケットと、
前記シールドに結合するように適合された支柱であって、前記複数個の第１係合機構に係合するように適合された複数個の第２係合機構を含み、前記支柱の少なくとも一部分が前記ハウジングの前記内側部内に受容されるように寸法決めされた前記支柱と、
前記ハウジングの前記内側部内に受容され、前記支柱に係合し、前記複数個の第２係合機構を付勢して前記複数個の第１係合機構と係合させる一方で、前記支柱と前記ソケットとの間の相対回転を可能とするように寸法決めされたバネと、を含む、旋回アセンブリ。
【請求項２】
前記複数個の第１係合機構及び前記複数個の第２係合機構の少なくとも一方が、縦方向軸線を中心とする鏡面対称性を有する、請求項１に記載の旋回アセンブリ。
【請求項３】
前記旋回アセンブリが、回転軸線を含み、前記複数個の第１係合機構及び前記複数個の第２係合機構の少なくとも一方が、前記回転軸線を中心とする回転対称性を有する、請求項１に記載の旋回アセンブリ。
【請求項４】
前記複数個の第１係合機構及び前記複数個の第２係合機構の少なくとも一方が、少なくとも１つのカム表面を含む、請求項１に記載の旋回アセンブリ。
【請求項５】
前記ハウジングが、前記ヘッドトップと一体形成される、請求項１に記載の旋回アセンブリ。
【請求項６】
前記シールドが、シールドフレームを含み、前記支柱が、前記シールドフレームの一方の側に結合するように適合された、請求項１に記載の旋回アセンブリ。
【請求項７】
前記ソケットが、シャフト及び穴の少なくとも一方を含み、前記支柱が、前記ソケットのシャフト及び穴の前記少なくとも一方に結合するように適合された穴及びシャフトの少なくとも一方をそれぞれ含む、請求項１に記載の旋回アセンブリ。
【請求項８】
前記バネが、板バネである、請求項１に記載の旋回アセンブリ。
【請求項９】
前記ソケットが位置決め機構を含み、前記ハウジングが対応する機構を含み、前記バネが更に、前記ソケットの前記位置決め機構を前記ハウジング内の前記対応する機構と係合させるように付勢する、請求項１に記載の旋回アセンブリ。
【請求項１０】
前記バネが、前記ハウジングの少なくとも一部分に係合して、前記旋回アセンブリを組み立てられた状態で可逆的に固定するように更に付勢される、請求項１に記載の旋回アセンブリ。
【請求項１１】
前記バネの少なくとも一部分が、前記旋回アセンブリの分解機構として機能し、前記バネの前記付勢に勝るために十分な力が前記分解機構に加えられるとき、前記バネが前記ハウジングから係合解除され得、前記旋回アセンブリが分解され得る、請求項１０に記載の旋回アセンブリ。
【請求項１２】
前記支柱が、前記シールド上の対応する機構に結合するように適合された配向機構を含み、前記支柱が、１つの配向でのみ前記シールドに結合し得る、請求項１に記載の旋回アセンブリ。
【請求項１３】
前記ソケットが、前記ハウジング上の対応する機構に結合するように適合された配向機構を含み、前記ソケットが、１つの配向でのみ前記ハウジングに結合され得る、請求項１に記載の旋回アセンブリ。
【請求項１４】
少なくとも前記ソケット、前記支柱、及び前記バネが、ヘッドギアの左側及び右側で共通である、請求項１に記載の旋回アセンブリ。
【請求項１５】
ヘッドギア用旋回アセンブリであって、前記ヘッドギアがヘッドトップ及びシールドを含み、前記旋回アセンブリは、
前記ヘッドトップに結合するように適合されたハウジングであって、内側部、第１の方向に沿って前記内側部へのアクセスを提供するように位置決めされた第１開口、及び第２の方向に沿って前記ハウジングの前記内側部へのアクセスを提供するように位置決めされた第２開口を含み、前記第２の方向が前記第１の方向に対して一定の角度で配向されている前記ハウジングと、
前記ハウジングの前記内側部内に、前記第１開口を経て受容されるように寸法決めされたソケットであって、複数個の第１係合機構を含む前記ソケットと、
前記シールドに結合するように適合された支柱であって、前記複数個の第１係合機構に係合するように適合された複数個の第２係合機構を含み、前記複数個の第１係合機構及び前記複数個の第２係合機構の少なくとも一方が、前記ソケットと前記支柱との間の相対的回転運動を可能とするように構成された少なくとも１つのカム表面を含み、前記支柱の少なくとも一部分が前記第２開口を経て前記ハウジングの前記内側部内に受容されるように寸法決めされた前記支柱と、
前記内側部内に、前記ハウジングの前記第１開口を経て受容されるように寸法決めされ、前記支柱に係合するバネであって、実質的に前記第２の方向に沿った付勢力を提供し、前記複数個の第２係合機構を付勢して前記複数個の第１係合機構と係合させる一方で、前記支柱と前記ソケットとの間の相対回転を可能とするように構成された前記バネと、を含む、旋回アセンブリ。
【請求項１６】
前記複数個の第１係合機構及び前記複数個の第２係合機構が、前記ソケット及び前記支柱の縦方向軸線についてそれぞれ鏡面対称性を有する、請求項１５に記載の旋回アセンブリ。
【請求項１７】
前記旋回アセンブリが、回転軸線を含み、前記複数個の第１係合機構及び前記複数個の第２係合機構が、前記回転軸線について回転対称性を有する、請求項１５に記載の旋回アセンブリ。
【請求項１８】
前記シールドが、シールドフレームを含み、前記支柱が、前記シールドフレームの一方の側の上部に結合するように適合された、請求項１５に記載の旋回アセンブリ。
【請求項１９】
前記旋回アセンブリが回転軸線を含み、前記ソケットが、前記回転軸線に沿って配向された突出部及び陥凹部の少なくとも一方を含み、前記支柱が、前記回転軸線に沿って配向され、前記ソケットの突出部及び陥凹部の前記少なくとも一方に結合するように適合された陥凹部及び突出部の少なくとも一方をそれぞれ含む、請求項１５に記載の旋回アセンブリ。
【請求項２０】
前記バネが、前記ハウジングの少なくとも一部分に係合して、前記旋回アセンブリを組み立てられた状態で可逆的に固定するように更に付勢される、請求項１５に記載の旋回アセンブリ。
【請求項２１】
前記バネの少なくとも一部分が、前記旋回アセンブリの分解機構として機能し、前記バネの前記付勢に勝るために十分な力が前記分解機構に加えられるとき、前記バネが前記ハウジングから係合解除され得、前記旋回アセンブリが分解され得る、請求項２０に記載の旋回アセンブリ。
【請求項２２】
前記支柱が、１つの配向でのみ前記シールドに結合され得、前記ソケットが、１つの配向でのみ前記ハウジングに結合され得る、請求項１５に記載の旋回アセンブリ。
【請求項２３】
前記ハウジングの前記第１開口が、前記第１の方向において、ほぼ長方形の断面形状を有し、前記ハウジングの前記第２開口が、前記第２の方向において、ほぼ円形の断面形状を有する、請求項１５に記載の旋回アセンブリ。
【請求項２４】
前記第２の方向が、前記第１の方向に対して、実質的に垂直に配向される、請求項１５に記載の旋回アセンブリ。
【請求項２５】
ヘッドトップと、
シールドと、
前記ヘッドトップ及び前記シールドを結合するように適合され、前記シールドが前記ヘッドトップに対して開放位置と閉鎖位置との間を枢動可能であるような旋回アセンブリと、を含む、ヘッドギアであって、前記旋回アセンブリは、
前記ヘッドトップに結合するハウジングであって、内側部、第１の方向に沿って前記内側部へのアクセスを提供するべく位置決めされた第１開口、及び第２の方向に沿って前記ハウジングの前記内側部へのアクセスを提供するべく位置決めされた第２開口を備え、前記第２の方向が前記第１の方向とは異なっている前記ハウジングと、
前記ハウジングの前記第１開口を経て、前記ハウジングの前記内側部内に取り外し可能に受容されるように寸法決めされたソケットであって、複数個の第１係合機構を有する前記ソケットと、
前記シールドに結合する支柱であって、前記ソケットの前記複数個の第１係合機構に係合するように適合された複数個の第２係合機構を有し、前記支柱の少なくとも一部分が、前記ハウジングの前記第２開口を経て前記ハウジングの前記内側部内に取り外し可能に受容されるように寸法決めされた前記支柱と、
前記ハウジングの前記第１開口を経て、前記ハウジングの前記内側部内に取り外し可能に受容されるように寸法決めされたバネであって、前記バネは、
前記支柱に係合し、
前記複数個の第２係合機構を付勢して前記複数個の第１係合機構と係合させ、
前記ハウジングに係合して、前記旋回アセンブリを組み立てられた状態で可逆的に固定するように適合された、前記バネと、を含む、ヘッドギア。
【請求項２６】
ヘッドギアのシールドをヘッドギアのヘッドトップに結合し、前記シールドと前記ヘッドトップとの間の相対回転を可能にする方法であって、前記方法は、
内側部を備えるハウジングを準備する工程であって、前記ハウジングは前記ヘッドギアの前記ヘッドトップに結合される、工程と、
ソケットを、第１の方向で、前記ハウジングの前記内側部内に移動させる工程であって、前記ソケットは複数個の第１係合機構を含む、工程と、
前記複数個の第１係合機構に係合するように適合された複数個の第２係合機構を有する支柱を準備する工程であって、前記支柱は前記ヘッドギアの前記シールドに結合される、工程と、
前記支柱を、前記ソケットとの係合に向けて第２の方向に移動させる工程であって、前記第２の方向は前記第１の方向とは異なっている、工程と、
バネを、第１の方向で、前記ハウジングの前記内側部内に移動させ、前記支柱の少なくとも一部分と係合させる工程であって、前記バネは、前記複数個の第１係合機構及び前記複数個の第２係合機構を付勢して係合させる一方で、前記支柱と前記ソケットとの間の相対的回転運動を可能とするように適合される、工程と、を含む、方法。
【請求項２７】
前記方法が、外部ツールを全く用いずに、前記シールドを前記ヘッドトップに結合する工程を含む、請求項２６に記載の方法。
【請求項２８】
前記支柱を、前記ソケットとの係合に向けて第２の方向に沿って移動させる工程が、前記支柱の少なくとも一部分を、前記ハウジングの前記内側部内に移動させる工程を含む、請求項２６に記載の方法。
【請求項２９】
前記ハウジングが、第１開口及び第２開口を含み、前記ソケット及び前記バネが、前記第１開口を経て、前記ハウジングの前記内側部内に移動されるように寸法決めされ、前記支柱が、前記第２開口を経て、前記ハウジングの前記内側部内に移動されるように寸法決めされる、請求項２８に記載の方法。
【請求項３０】
前記第２の方向が、前記第１の方向に対して、実質的に垂直に配向される、請求項２６に記載の方法。
【発明の詳細な説明】
【技術分野】
【０００１】
本開示は、一般にヘッドギアで使用するための、特に、ヘッドトップ部分と、ヘッドトップ部分に対して移動可能な目又は顔面カバー部分とを有するヘッドギアで使用するための旋回アセンブリに関する。
【背景技術】
【０００２】
ヘッドギアは、使用者の頭部に対するカバー及び／又は保護を提供するために、様々な用途において使用される。一部のヘッドギアは、ヘッドトップに対して開放位置と閉鎖位置との間で枢動可能なバイザー又はフェイスシールドを含む。そのようなヘッドギアは、開放位置と閉鎖位置との間におけるバイザー又はフェイスシールドの移動を制御しようとする旋回機構として機能する１つ以上の構成要素を更に含み得る。そのような制御移動により、バイザー又はフェイスシールドを、開放位置若しくは閉鎖位置に、又は開放位置と閉鎖位置の中間に維持することが可能となり得る。一部の旋回機構は、回転止め式ヒンジ機構、ネジ付係合、又は組み立て若しくは分解のための外部ツールの使用が必要な機構を含む。加えて、一部の旋回機構は、様々な方法で互いに結合し得る構成要素、及びヘッドギアの左側若しくは右側のいずれかに特有の構成要素を含む。更に、一部の旋回機構は、バイザー又はフェイスシールドを所望の位置に維持するための追加的な固定手段を必要とする。
【発明の概要】
【課題を解決するための手段】
【０００３】
本開示のいくつかの実施形態は、ヘッドトップとシールドとを備えるヘッドギアのための旋回アセンブリを提供する。この旋回アセンブリは、ヘッドトップに結合するように適合されたハウジングを含み得、このハウジングは内側部を有している。旋回アセンブリは、ハウジングの内側部内に受容されるように寸法決めされ、複数個の第１係合機構を備えるソケットと、シールドに結合するように適合され、複数個の第１係合機構に係合するように適合された複数個の第２係合機構を備える支柱とを更に含み得る。支柱の少なくとも一部分は、ハウジングの内側部内に受容されるように寸法決めされ得る。旋回アセンブリは、ハウジングの内側部内に受容され、支柱に係合し、複数個の第２係合機構を複数個の第１係合機構に係合させるように付勢する一方で、支柱とソケットとの間の相対回転を可能とするように寸法決めされたバネを更に含む。
【０００４】
本開示のいくつかの実施形態は、ヘッドトップとシールドとを備えるヘッドギアのための旋回アセンブリを提供する。この旋回アセンブリは、ヘッドトップに結合するように適合されたハウジングを含み得る。このハウジングは、内側部と、第１の方向に沿って内側部へのアクセスを提供するように位置決めされた第１開口と、第２の方向に沿ってハウジングの内側部へのアクセスを提供するように位置決めされた第２開口とを含み得、この第２開口は第１開口に対して一定の角度に配向されている。旋回アセンブリは、第１開口を経てハウジングの内側部内に受容されるように寸法決めされ、複数個の第１係合機構を備えるソケットと、シールドに結合するように適合され、複数個の第１係合機構に係合するように適合された複数個の第２係合機構を備える支柱とを更に含み得る。複数個の第１係合機構及び複数個の第２係合機構の少なくとも一方は、ソケットと支柱との間の相対的回転運動を可能とするように構成された少なくとも１つのカム表面を含み得る。支柱の少なくとも一部分は、第２開口を経てハウジングの内側部内に受容されるように寸法決めされ得る。旋回アセンブリは、ハウジングの第１開口を経て内側部内に受容され、支柱に係合するように寸法決めされたバネを更に含み得る。このバネは、実質的に第２の方向に沿った付勢力を提供して、第２の複数個の係合機構を第１の複数個の係合機構と係合させるように付勢する一方で、支柱とソケットとの間の相対回転を可能とするように構成され得る。
【０００５】
本開示のいくつかの実施形態は、ヘッドトップと、シールドと、ヘッドトップ及びシールドを結合するように適合された旋回アセンブリとを備え、シールドがヘッドトップに対して開放位置と閉鎖位置との間を枢動可能なヘッドギアを提供する。旋回アセンブリは、ヘッドトップに結合されたハウジングを含み得る。このハウジングは、内側部と、第１の方向に沿って内側部へのアクセスを提供するべく位置決めされた第１開口と、第２の方向に沿ってハウジングの内側部へのアクセスを提供するべく位置決めされた第２開口とを含み得、この第２の方向は第１の方向とは異なっている。旋回アセンブリは、ハウジングの第１開口を経てハウジングの内側部内に受容されるように寸法決めされ、複数個の第１係合機構を備えるソケットと、シールドに結合するように適合され、ソケットの複数個の第１係合機構に係合するように適合された複数個の第２係合機構を備える支柱とを更に含み得る。支柱の少なくとも一部分は、ハウジングの第２開口を経てハウジングの内側部内に受容されるように寸法決めされ得る。旋回アセンブリは、ハウジングの第１開口を経てハウジングの内側部内に受容されるように寸法決めされたバネを更に含み得る。このバネは、（ｉ）支柱に係合し、（ｉｉ）複数個の第２係合機構を複数個の第１係合機構と係合させるように付勢し、（ｉｉｉ）ハウジングに係合し、旋回アセンブリを組み立てられた状態で可逆的に固定するように適合され得る。
【０００６】
本開示のいくつかの実施形態は、ヘッドギアのシールドをヘッドギアのヘッドトップに結合し、シールドとヘッドトップとの間の相対回転を可能とするための方法を提供する。この方法は、内側部を備えるハウジングを準備する工程を含み得る。このハウジングは、ヘッドギアのヘッドトップに結合され得る。この方法は、ソケットを第１の方向でハウジングの内側部内へ移動させる工程を更に含み得る。このソケットは複数個の第１係合機構を含み得る。この方法は、複数個の第１係合機構に係合するように適合された複数個の第２係合機構を有する支柱を準備する工程を更に含み得る。この支柱は、ヘッドギアのシールドに結合され得る。この方法は、ソケットとの係合に向けて第２の方向で支柱を移動させる工程を更に含み得、この第２の方向は第１の方向とは異なっている。この方法は、バネを、第１の方向でハウジングの内側部内へ移動させて、支柱の少なくとも一部分と係合させる工程を更に含み得る。バネは、複数個の第１係合機構及び複数個の第２係合機構を係合させるように付勢する一方で、支柱とソケットとの間の相対的回転運動を可能とするように適合され得る。
【０００７】
本開示のその他の特徴及び態様は、発明を実施する形態及び添付図面を熟考することによって、明らかになるであろう。
【図面の簡単な説明】
【０００８】
【図１】本開示の一実施形態によるヘッドギアであって、ヘッドトップと、シールドと、２つの旋回アセンブリ（一方の旋回アセンブリを図示）とを含むヘッドギアの斜視図。
【図２】図１のヘッドギアの底面斜視図。
【図３】明瞭化のために一方の旋回アセンブリのみを示した、図１及び２のヘッドギアの上面分解斜視図。
【図４】図１の４−４の線に沿って取った、図１〜３のヘッドギアの側面断面図。
【図５】図１〜４のヘッドトップ及び旋回アセンブリの前側拡大分解斜視図。
【図６】図１〜５のヘッドトップ及び旋回アセンブリの後側拡大分解斜視図。
【発明を実施するための形態】
【０００９】
本発明のいずれかの実施形態を詳細に説明するのに先立って、本発明は、以下の説明文に記載されるかあるいは以下の図面に示される構成の詳細及び構成要素の配置にその用途が限定されない点は理解されるべきである。本発明には他の実施形態が可能であり、様々な方法で実施又は実行することが可能である。更に、本明細書で使用される専門語句及び専門語は説明を目的としたものであり、発明を限定するものとして見なされるべきではない点は理解されるべきである。「含む（including）」、「備える（comprising）」、又は「有する（having）」、及びこれらの変形は、それらの後に列記される要素及びそれらの均等物、並びに更なる要素を包含することを意味するものである。別の方法で指定又は制限されない限り、用語「連結される」、「支持される」及び「結合される」、並びにその変化形は、幅広く使用され、直接的並びに間接的な連結、支持、及び結合の双方を包含する。更に、「連結される」及び「結合される」とは物理的又は機械的な連結若しくは結合に限定されるものではない。その他の実施形態を利用することも可能であり、本開示の範囲から逸脱することなく構造的又は論理的な変更を行うことが可能である点は理解されるべきである。更に、「前」、「後」、「上」、「下」等の用語は、各要素を互いの関連において述べるためにのみ用いられ、決して装置の特定の向きを記載するものではなく、装置の必要な又は要求される向きを指示又は示唆するものでもなく、本明細書で述べられる発明が使用時にどのように使用、取り付け、表示、又は配置されるかを特定するものでもない。
【００１０】
本開示は、一般には、ヘッドギアとともに使用するための、詳細には、ヘッドトップ部分と、ヘッドトップ部分に対して移動可能な目又は顔面カバー部分（例、シールド）とを有するヘッドギアとともに使用するための旋回アセンブリに関する。本開示の旋回アセンブリは、ヘッドトップ部分を目又は顔面カバー部分に結合させる一方で、ヘッドトップ部分と目又は顔面カバー部分との間の相対的運動を依然として可能にするための、薄型、扁平で、取り付け容易な装置を提供する。
【００１１】
図１〜６は、本開示の一実施形態によるヘッドギア１００を示す。図１に示すように、ヘッドギア１００は、ヘッドトップ１０２、シールド１０４、及びヘッドトップ１０２とシールド１０４との間の相対的回転運動を可能とする旋回アセンブリ１０６を含む。図１に更に示すように、シールド１０４は、ヘッドトップ１０２に対して、上方、即ち開放の位置１０５と下方、即ち閉鎖の位置１０７との間で枢動可能である。図１の仮想線で示す開放位置１０５は、１つの可能な開放位置の例として示すものである。しかしながら、図示の開放位置１０５を超える位置、及び図示の開放位置１０５と閉鎖位置１０７との間の中間位置といった、様々な他の位置が可能であって、本開示の範囲内であることを理解されたい。シールド１０４は、ヘッドトップ１０２に取り外し可能に結合され得る。
【００１２】
ヘッドトップ１０２は、使用者の頭部の上部を覆って適合し、カバー、シールド１０４を取り付ける手段、及び／又は使用者の頭部の保護（例、衝撃及び／又は環境からの保護）を提供するように形成され、寸法決めされる。ヘッドトップ１０２は、様々な材料から形成され得、それらの材料としては、金属（例えば、アルミニウムなど）、高分子材料（例えば、高密度ポリエチレン（ＨＤＰＥ）；アクリロニトリルブタジエンスチレン（ＡＢＳ）；ポリカーボネート；例えば、Ｅ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，ＤＥから入手のＮＹＬＯＮ（登録商標）ポリアミド；等）、複合材料（例えば、繊維強化ＮＹＬＯＮ（登録商標）ポリアミド、繊維強化ポリエステル）、他の好適な材料、のうちの少なくとも１つ、及びこれらの組み合わせが挙げられるが、それらに限定されない。加えて、ヘッドトップ１０２は、所望の用途に応じて様々な形態を取り得る。例えば、いくつかの実施形態では、ヘッドトップ１０２は、単純な作業帽、安全帽、ヘルメット、及びそれらの組み合わせであり得る。
【００１３】
いくつかの実施形態では、図１及び３に示すように、ヘッドギア１００は、更なるカバー、シールド１０４のための追加的結合手段、及び／又は使用者の顔面の保護を提供するために、ヘッドトップ１０２に結合されるか、又はその一部分を形成する、あご部品１０８を更に含み得る。このあご部品１０８を使用する実施形態では、あご部品１０８は、ヘッドトップ１０２に強固に結合され得、あご部品１０８は、シールド１０４の様々な部分に対して位置合わせ面及びシール面を提供し得る。あご部品１０８を使用する実施形態では、あご部品１０８及びヘッドトップ１０２は、第１の視界窓、即ち開口部１０９（図３参照）を画定し、シールド１０４がその閉鎖位置１０７へと移動する際、シールド１０４は、第１視界窓１０９にわたって位置決めされる。
【００１４】
いくつかの実施形態では、ヘッドギア１００は、ヘッドギア１００を使用者の頭部に固定するための手段を提供するために、ヘッドトップ１０２に結合されるか、若しくはその一部分を形成する、ストラップ又はハーネス１１０を更に含み得る。このストラップ１１０は、明瞭化のために図３からは取り外されている。
【００１５】
図示の実施形態では、ヘッドトップ１０２は、使用者の頭部にカバーを提供するように適合され、ストラップ１１０は、ヘッドギア１００を使用者の頭部に結合するように適合されている。しかしながら、いくつかの実施形態では、ヘッドトップ１０２は、ヘッドトップ１０２の主要目的がシールド１０４（又はヘッドギア１００の他の構成要素）を使用者の頭部に結合させることであるように、実質的にストラップ１１０から形成され、必ずしも使用者の頭部にカバーを提供しない。
【００１６】
いくつかの実施形態では、図１に示すように、ヘッドギア１００は、レスピレータシステムで使用されるように構成されており、清浄（例えば、濾過された）空気供給源（図示せず）への連結を可能とするための、ヘッドトップ１０２に結合された引き込み口１１２（図１及び３参照）を更に含む。そのような実施形態では、ヘッドギア１００の少なくとも一部分（例えば、ヘッドトップ１０２、シールド１０４、及び使用される場合は、あご部品１０８）は、使用者の顔面周辺に、使用者の内部気体空間を周囲外部気体空間から隔てる密閉構造を形成し得る。使用者の呼吸領域は、密閉構造と使用者の顔面との間に位置決めされ得る。清浄空気は、任意の好適な清浄空気供給源から呼吸領域内に提供され得る。使用者は、その空気を吸い込んで、呼吸領域内にそれを吐き戻すことができる。吐き出された空気は、呼吸領域内に移送された余剰清浄空気とともに、密閉構造の１つ以上の開口部（例えば、シールド１０４の縁部周囲）を経て、又は任意の他の好適な経路を通じて、呼吸領域から排出され得る。本開示の目的に関して、「清浄空気」という語句は、濾過された大気中周囲空気、又は独立した供給源から支給される空気を指す。「清浄空気供給源」という語句は、レスピレータシステムの使用者に清浄空気（又は酸素）の支給を提供することが可能な濾過ユニット又はタンクのような装置を指す。
【００１７】
引き込み口１１２がヘッドギア１００の密閉構造並びに使用者の鼻及び／又は口と流体連通するように、引き込み口１１２は、ヘッドトップ１０２に結合され得るか、又はヘッドトップ１０２の一部分を形成し得る。引き込み口１１２は、給気システムに結合され得る。給気システムは、正圧システムであれ、負圧システムであれ、密閉構造からの気体の正味流出量を維持するように補助をして、汚染物質が密閉構造に入り込む可能性を低減し得る。
【００１８】
ヘッドギア１００がレスピレータシステムで使用されるように構成された実施形態では、レスピレータシステムは、清浄空気の供給源に連結するように構成された吸気口と、呼吸領域と流体連通して配置された排気口とを含み得る清浄空気供給源（図示せず）を含み得るか、又は結合され得る。いくつかの実施形態では、清浄空気の供給源は、使用者の呼吸周期とともに空気が交換され得る使用者の頭部周囲の有限な呼吸領域の容積を提供するための装置を含み得る、空気交換装置であり得る。
【００１９】
空気交換装置を使用するレスピレータシステムの一実施例は、周囲空気を空気浄化要素を通過させて清浄空気供給システムの吸気口へと強制的に流す送風機を有する電気式システムである、「Ｐｏｗｅｒｅｄ  Ａｉｒ  Ｐｕｒｉｆｙｉｎｇ  Ｒｅｓｐｉｒａｔｏｒ」（ＰＡＰＲ）である。しかしながら、本開示はそのようなシステムに限定されず、負圧システムを含むがこれに限定されない任意のその他の好適な給気システムを含み得る。他の代表的な給気システムは、自給式呼吸器（ＳＣＢＡ：self contained breathing apparatus）等の任意の好適な送気システム又は圧縮空気システムを非限定的に含むことができる。
【００２０】
図示の実施形態では、シールド１０４は、旋回アセンブリ１０６によりヘッドトップ１０２に結合されるフレーム１２０を含む。フレーム１２０は、使用者の頭部の少なくとも一部分にカバー及び／又は保護を提供するような形状であり得る。例えば、いくつかの実施形態では、シールド１０４は使用者の目をカバーするバイザーを含み得、いくつかの実施形態では、図１及び３に示すように、シールド１０４はフルフェイス型シールドを含み得る。シールド１０４は、ヘッドギア１００の使用目的に応じて、いずれの所望のレベルのカバー又は保護を提供するようにも寸法決めされ、形成され得る。シールド１０４は、使用者が透視することができるレンズ１２２と、シールド１０４をヘッドトップ１０２の表面に対して封止可能にさせ、使用者の顔面周囲の密閉構造の形成に関与し得る封止部１２４とを更に含み得る。いくつかの実施形態では、シールド１０４は、実質的にレンズ１２２により形成され得、レンズ１２２は、旋回アセンブリ１０６によりヘッドトップ１０２に結合され得る。
【００２１】
シールドフレーム１２０は、ヘッドトップ１０２に関して上に挙げた材料を含むがそれらに限定されない様々な材料から形成され得る。レンズ１２２は、ガラス、高分子材料（例えば、ポリカーボネート、アセテート、ＮＹＬＯＮ（登録商標）ポリアミド、アクリル系、等）、他の好適なレンズ材料、及びこれらの組み合わせを含むがそれらに限定されない様々な材料から形成され得る。
【００２２】
シールド１０４のフレーム１２０は、視界窓、即ち開口部１２３（例えば、第１の視界窓１０９を画定するあご部品１０８を使用する実施形態における第２の視界窓１２３）を少なくとも部分的に画定する。レンズ１２２は、使用者の目又は顔面への追加的カバー又は保護を提供し、使用者の顔面の少なくとも一部分の周囲における密閉構造の形成（例えばレスピレータの用途において）に貢献するべく、視界窓１２３にわたってフレーム１２０に取り外し可能に結合され得る。
【００２３】
図１〜４に示すシールド１０４のフレーム１２０は、ほぼＵ形であり、下部１２６、及び下部１２６から上方向に延在し、旋回アセンブリ１０６によりヘッドトップ１０２の両側に結合される２つの上部１２８を含む。図２は、シールド１０４のフレーム１２０の左側上部１２８が、旋回アセンブリ１０６によってヘッドトップ１０２に結合されている、ヘッドギア１００の左側の拡大底面図である。いくつかの実施形態では、図１〜３に示すように、ヘッドトップ１０２は、シールドフレーム１２０の上部１２８を受容するように形成され、寸法決めされた陥凹部１１４を両側に含み、ヘッドギア１００の両側に平坦な側面プロファイルを作り出し得る一方で、シールド１０４とヘッドトップ１０２との間の相対回転を可能にさせる。図示の実施形態のシールド１０４のフレーム１２０の形状及び全体の外観は、あくまで一例として示されるものであるが、シールド１０４又はシールドフレーム１２０の他の形状並びに構造が可能であり、本開示の範囲内であることを理解されたい。
【００２４】
図２〜６は、旋回アセンブリ１０６をより詳細に示す。図２〜４は、旋回アセンブリ１０６の構成要素が、いかにしてヘッドトップ１０２及びシールド１０４のみならず、互いに結合されるかを示す。図５及び６は、明瞭化のためにシールド１０４が取り外された旋回アセンブリ１０６の構成要素を詳細に示す。図２〜６に示すように、旋回アセンブリ１０６は、ハウジング１３０、ソケット１３２、支柱１３４、及びバネ１３６を含む。
【００２５】
ハウジング１３０は、以下に述べるように、様々な、取り外し可能、半永久的、又は永久的な結合手段により、ヘッドトップ１０２に結合され得る。例えば、図１〜６に示す実施形態では、ハウジング１３０がヘッドトップ１０２に永久的に結合されるように、ハウジング１３０はヘッドトップ１０２内に一体形成され、ヘッドトップ１０２が、旋回アセンブリ１０６のハウジング１３０を含んでいる。しかしながら、いくつかの実施形態では、ハウジング１３０はヘッドトップ１０２とは別個に形成され、ヘッドトップ１０２に取り外し可能又は半永久的に結合される。結果として、ハウジング１３０がヘッドトップ１０２に「結合される」又はヘッドトップ１０２に「結合するように適合される」と記述される場合、この結合は、取り外し可能、半永久的、及び永久的な種類の結合、並びにそれらの組み合わせを含み得る。
【００２６】
取り外し可能な結合手段としては、重力（例えば、１つの構成要素が、別の構成要素、又はその嵌合部分の上に配置され得る）、ねじ山、プレス嵌め係合（「摩擦嵌め係合」又は「締まり嵌め係合」と称される場合もある）、スナップ嵌め係合、磁石、フック・ループ式ファスナー、接着剤、粘着剤、クランプ、熱融着、他の好適な取り外し可能な結合手段、及びこれらの組み合わせを挙げることができるが、それらに限定されない。永久的又は半永久的結合手段としては、接着剤、粘着剤、縫合、留め金、ねじ、釘、リベット、無頭釘、圧着、溶接（例えば、音波（例えば、超音波）溶接）、任意の熱接着技術（例えば、結合される構成要素の一方又は両方に加えられる熱及び／又は圧力）、スナップ嵌め係合、プレス嵌め係合、熱融着、他の好適な永久的又は半永久的結合手段、及びこれらの組み合わせを挙げることができるが、それらに限定されない。当業者であれば、永久的又は半永久的結合手段の特定のものを取り外し可能に構成することも可能であり、またその逆も可能であって、あくまで例としてこのように分類したことは認識されるであろう。
【００２７】
図２〜６に示す代表的なハウジング１３０は、上部２つの隅が丸みのある、方形プリズム又は立方体の形状を一般に有し、前壁１４２、後壁１４４、底壁１４５（図２及び４参照）、並びに前壁１４２及び後壁１４４に接合してハウジング１３０の側部及び上部を形成する側壁１４６（図４〜６参照）を含む。ハウジング１３０の壁１４２、１４４、１４５、１４６は、中空の内側部１３８及び内側表面１４８を画定する。ハウジング１３０は、底壁１４５内に、第１の方向Ｄ１で内側部１３８へのアクセスを提供するスロット、即ち第１開口１５０、及び前壁１４２内に、第２の方向Ｄ２で内側部１３８へのアクセスを提供する第２開口１５２を更に含み、この第２の方向は、第１の方向とは異なっている（例えば、第１の方向Ｄ１に対して一定の角度で配向される）。図示の実施形態のような、いくつかの実施形態では、第２の方向Ｄ２は、第１の方向Ｄ１に対して実質的に垂直に配向される。
【００２８】
図２に示すように、ハウジング１３０は、ヘッドギア１００が使用者の頭部上に配置される際に、底部スロット１５０が下方を向くように、ヘッドトップ１０２に対して配向される。結果として、第２開口１５２は、ヘッドギア１００が使用者の頭部上にあるとき、側方へと外方向に向く。単純化のために、本明細書で使用する、旋回アセンブリ１０６に関する配向の用語は、図５及び６の配向に従うものとし、図５は「正面」図を、図６は「背面」図を表す。したがって、「正面」、「前方」、「の前」、及びそれらの変形は、ヘッドギア１００の中央線から離れる方向に（即ち、側方へ向けて）位置決めされた要素の部分、又はその方向への移動を指し、「背面」、「後方」、「の後」、及びそれらの変形は、ヘッドギア１００の中央線に向けて（即ち、中心へ向けて）位置決めされた要素の部分、又はその方向への移動を指す。「上」、「上方」、「底」、及び「下方」のような、他の配向の用語は、それぞれ、ヘッドギア１００の上部及びヘッドギア１００の底部に向けた要素又は移動を指すために使用される。
【００２９】
底部スロット１５０は、ほぼ長方形の断面形状を有し、第２開口１５２は、ほぼ円形の断面形状を有する。図示の実施形態では、第１開口１５０及び第２開口１５２は、旋回アセンブリ１０６の他の構成要素を受容し、中心軸Ａ（図４〜６参照）について相対回転を促進するように形成される。しかしながら、開口の形状が、旋回アセンブリ１０６の他の構成要素との適切な結合及び連携を提供する限りにおいて、他の形状も可能であることを理解されたい。
【００３０】
ソケット１３２は、ハウジング１３０の内側部１３８内に受容されるように形成され、寸法決めされる。具体的には、ソケット１３２は、底部スロット１５０を経て、第１の方向Ｄ１で、ハウジング１３０内に滑り込むように構成される。ソケット１３２は、前述のいずれかの結合手段により、ハウジング１３０に結合され得る。即ち、ソケット１３２は、ハウジング１３０内でのソケット１３２の適切かつ容易な位置決めを促進するための様々な結合若しくは配向機構及び／又は材質を含み得る。
【００３１】
例えば、図５及び６に示すように、図示の実施形態のソケット１３２は、ソケット１３２の側壁付近にソケット１３２を貫通して形成されたスロット、即ち開口１５４を含み、可撓性の薄い壁１５５のような弾性部材をソケット１３２の側部に形成する。この弾性部材の、本明細書における薄い壁１５５は、ソケット１３２がハウジング１３０内に滑り込まされる際に内側に屈曲して、ソケット１３２の外側表面１５６の少なくとも一部分とハウジング１３０の内側表面１４８との間の締まり嵌めをより緊密にさせ、ソケット１３２とハウジング１３０との間の相対的移動を阻止し得る。しかしながら、薄い壁１５５は、ソケット１３２のハウジング１３０への結合を促進し、ソケット１３２とハウジング１３０との間の相対的移動を阻止するために使用され得る弾性部材のあくまで一例であって、そのような機能を達成するために他の好適な弾性及び／又は可動部材を使用し得ることを理解されたい。他の弾性部材の例としては、ソケット１３２の外側表面１５６及びハウジング１３０の内側表面１４８の少なくとも一方上に配置される弾性又はエラストマー材、ソケット１３２の外側表面１５６及びハウジング１３０の内側表面１４８の少なくとも一方上に配置される１つ以上のカム表面、他の好適な弾性又は可動部材、並びにこれらの組み合わせを挙げることができるが、それらに限定されない。
【００３２】
図５及び６に示すように、いくつかの実施形態では、薄い壁１５５は、ソケット１３２がハウジング１３０の内側部１３８内に移動する際に、ハウジング１３０の内側表面１４８に沿ったカムとなり得る外向きに突き出た突出部１５８を更に含み得、ソケット１３２とハウジング１３０の内側表面１４８との間の締まり嵌めをもたらし得る。加えて、いくつかの実施形態では、図５及び６に示すように、ハウジングは、突出部１５８を受容するように寸法決めされ、ハウジング１３０の側壁１４６内に形成された対応形状の陥凹部１５９を含み得、ソケット１３２がハウジング１３０内に滑り込まされる際に、突出部１５８がハウジング１３０の陥凹部１５９と係合（例、スナップ）するように移動し得る。ソケット１３２とハウジング１３０との間のそのような結合及び配向機構は、ソケット１３２とハウジング１３０との間の係合を強化し得、更に、１つの配向での容易な組み立てを可能にする配向誘導としての機能を果たし得る。しかしながら、旋回アセンブリ１０６のいくつかの実施形態は、ソケット１３２とハウジング１３０との間のそのような結合及び配向機構を含まない。
【００３３】
図５及び６に示すように、ソケット１３２は、ハウジング１３０の後壁１４４の内側表面１４８に形成された陥凹部１６２のような少なくとも１つの対応するハウジング位置決め機構に係合又は合致するように形成され、寸法決めされた、後方に突き出る突出部１６０のような少なくとも１つのソケット位置決め機構を更に含み得る。ソケット１３２の突出部１６０とハウジング１３０の陥凹部１６２との係合は、ソケット１３２をハウジング１３０に対して所望の空間的構成で安定させる助けとなり得、ソケット１３２のハウジング１３０からの脱落を阻止し得る。突出部１６０及び陥凹部１６２は、あくまで一例として示すものであり、当業者は、突出部１６０をハウジング１３０上に代わりに位置決め可能で、陥凹部１６２をソケット１３２上に位置決め可能であること、複数個のそのような機構が含まれ得ること、並びに／又は様々な他の形状及び寸法の位置決め機構が、ソケット１３２とハウジング１３０との結合を促進するために使用され得ることを理解されたい。
【００３４】
ソケット１３２は、前側表面１６４と、前側表面１６４の少なくとも一部分を形成し、以下で更に詳しく述べるように、支柱１３４に係合するように構成された１つ以上の係合機構１６６とを含む。「係合機構」という語句は、同様の形状及び寸法の１つ以上の陥凹部又は突出部とそれぞれ連携して、２つの構成要素の間に結合をもたらすように形成された突出部又は陥凹部を一般に指すために使用される。図１〜６に示す実施形態では、係合機構１６６は、中心点Ｃの周囲に風車パターンで（即ち、周囲方向で）配列された５つの等間隔の陥凹部を含み、各陥凹部は、ほぼ扇形錐台の形状を有し、弓状の上部表面及び底部表面を有する。図３〜５に示すように、ソケット１３２は、係合機構１６６と同じ中心点Ｃを中心とするシャフト１６８のような、ソケット１３２の前側表面１６４から外方向に延出して、以下で更に詳しく述べるように、支柱１３４に更に係合する結合又は配向機構を更に含み得る。
【００３５】
図示の実施形態では、ソケット１３２がハウジング１３０内に配置されたとき、ハウジング１３０の第２開口１５２は、係合機構１６６及びシャフト１６８と同心である。結果として、旋回アセンブリ１０６が組み立てられたとき、ソケット１３２の係合機構１６６及びシャフト１６８は、ハウジング１３０の第２開口１５２に対し、軸線Ａを中心として同軸に配置され、旋回アセンブリ１０６の回転軸線を形成する。しかしながら、このような構成は、あくまで一例として示すものであって、いくつかの実施形態は、ハウジング１３０の第２開口１５２とソケット１３２との間のそのような同心性を含まないことを理解されたい。
【００３６】
旋回アセンブリ１０６の支柱１３４は、シールド１０４に結合する前側（又は外側）部分１７０、及びソケット１３２に結合する後側（又は内側）部分１７２を含む。支柱１３４は、上述のような、様々な取り外し可能、半永久的、又は永久的な結合手段によってシールド１０４に結合され得る。例えば、図１〜６に示し、以下で説明する実施形態では、支柱１３４は、シールド１０４に取り外し可能に結合される。しかしながら、この実施形態は、あくまで一例として示され、説明されるものであって、いくつかの実施形態では、支柱１３４は、シールド１０４に半永久的又は永久的に結合され得ることを理解されたい。例えば、いくつかの実施形態では、支柱１３４（例えば、支柱１３４の前側部分１７０）は、シールド１０４が支柱１３４を含むように、シールド１０４と一体形成され得る。結果として、支柱１３４が、シールド１０４に「結合される」、又はシールド１０４に「結合するように適合される」として説明される場合、この結合は、取り外し可能、半永久的、及び永久的な種類の結合、並びにそれらの組み合わせを含み得る。
【００３７】
引き続き図示の実施形態を参照すると、前側部分１７０は、旋回アセンブリ１０６が組み立てられた際に軸線Ａを中心として回転するように構成されたほぼ円筒形のシャフト１７４によって後側部分１７２に接合される。図６に示すように、シャフト１７４は、ソケット１３２のシャフト１６８を受容するように寸法決めされた穴１７５を含み、支柱１３４とソケット１３２との間の結合及び連携を更に促進させる。しかしながら、いくつかの実施形態では、支柱１３４がシャフト１６８を含み得、ソケット１３２が穴１７５を含み得ることを理解されたい。いくつかの実施形態では、そのような支柱１３４及びソケット１３２の結合並びに整合の追加的手段が、全く存在しないことを更に理解されたい。
【００３８】
図示の実施形態では、支柱１３４の前側部分１７０は、シャフト１７４から横方向外側に延出し、シールド１０４のフレーム１２０に形成されたポケット部１７８（図２〜４参照）内に受容されるように形成され、寸法決めされた第１フランジ１７６を含む。図示の実施形態では、このフランジ１７６は、隅が丸められたほぼ方形の形状を有し、組み立てられたヘッドギア１００を側面から見た場合に、旋回アセンブリ１０６の可視的な部分を形成する。フランジ１７６のほぼ方形の形状は、フランジ１７６がシールド１０４に結合されてともに回転することを可能にさせ、シールド１０４がヘッドトップ１０２に対して回転する際に、フランジ１７６は、シールド１０４に対する回転を阻止される。しかしながら、フランジ１７６は、様々な他の好適な形状を取り得ることを理解されたい。
【００３９】
図示の実施形態に示すように、フランジ１７６の裏側表面は、シャフト１７４から横方向外側に延出して、横方向に配向された長さを有するリブ１７７を含み得る。リブ１７７は、シールドフレーム１２０のポケット部１７８の対応して形成された陥凹部１７９（図３参照）内に受容されるように形成、寸法決めされた配向機構を、支柱１３４上に提供する。リブ１７７は、フランジ１７６の垂直上側半分内に位置決めされる。リブ１７７のそのような配置は、フランジ１７６の形状と伴って、支柱１３４がシールドフレーム１２０のポケット部１７８内に一方向でのみ適合することを確実にする。要素のそのような形成、及び配向機構は、旋回アセンブリ１０６の容易な組み立てを可能にする。しかしながら、旋回アセンブリ１０６のいくつかの実施形態は、支柱１３４とシールドフレーム１２０との間に、そのようなリブ、又は他の配向機構のいずれをも含まないことを理解されたい。加えて、いくつかの実施形態では、図１〜６に示すように、フランジ１７６の外側表面は滑らかかつ平坦であり、旋回アセンブリ１０６は、ヘッドギア１００の外側表面に対して面一か、又は陥凹している。
【００４０】
支柱１３４は更に、シャフト１７４から半径方向外側に延出する第２の環状フランジ１８０（図４及び６参照）を、フランジ１７６の後方に短い距離を置いて含む。環状フランジ１８０は、後方に（即ち、フランジ１７６とは反対の方向に）テーパーを付けて面取りされた外径を有する。環状フランジ１８０は、シールドフレーム１２０のポケット部１７８の後部に形成された開口１８２（図３参照）を通って嵌るように形成され、寸法決めされる。具体的には、環状フランジ１８０の後側部分は、シールドフレーム１２０の開口１８２の内径と同様の寸法か又は小さいため、環状フランジ１８０の後側部分が容易に開口１８２を通って嵌ることが可能であり、また環状フランジ１８０の前側部分は、開口１８２の内径よりも僅かに大きいため、支柱１３４は、シールドフレーム１２０から脱落することを、少なくともある程度は阻止される。環状フランジ１８０の前方端部（即ち、環状フランジ１８０の最大外径を形成する部分）は丸みが付けられており、支柱１３４の環状フランジ１８０とシールドフレーム１２０の後部開口１８２との間の環状スナップ嵌め式係合を可能にするような十分な力が加えられたとき、支柱１３４がシールドフレーム１２０から取り外されることを可能にする。しかしながら、支柱１３４をシールド１０４に結合する他の好適な手段が使用可能であり、いくつかの実施形態は、支柱１３４とシールド１０４との間のそのような結合機構を含まないことを理解されたい。そのような実施形態では、支柱１３４は、例えば、旋回アセンブリ１０６を組み立てられた状態に固定することによって、シールド１０４に固定され得る。
【００４１】
支柱１３４の後側部分１７２は、後側表面１８４、及び後側表面１８４の少なくとも一部分を形成する１つ以上の係合機構１８６を含み、それらはソケット１３２の係合機構１６６に係合するように構成される。図示の実施形態では、支柱１３４は、シャフト１７４を中心として周囲方向に配列された５つの等間隔の突出部を含む。この代表的な実施形態では、各突出部は、弓状の上部表面及び底部表面を備える、ほぼ扇形錐台の形状を有し、ソケット１３２の陥凹した係合機構１６６内に受容されるように形成され、寸法決めされる。ソケット係合機構１６６及び支柱係合機構１８６の一方は、他方よりも大きいものであり得、ソケット１３２及び支柱１３４が実質的な摩擦又は困難を伴わずに互いに対して回転することを可能にする。図示の実施形態では、ソケット係合機構１６６は、直径及び深さにおいて、支柱係合機構１８６よりも大きいが、その他の寸法は同じであり、容易な相対的回転運動を可能にする一方で、ソケット係合機構１６６及び支柱係合機構１８６の係合によってもたらされる、回転止め位置での一体性を維持する。
【００４２】
図示の実施形態のソケット係合機構１６６は、本明細書では「陥凹部」として説明され、支柱係合機構１８６は、陥凹したソケット係合機構１６６内に受容される「突出部」として説明される。しかしながら、ソケット１３２上の陥凹部の間の隆起部が、代わりにソケット係合機構１６６と称されてもよく、図示のソケット係合機構１６６は、「突出部」と称されることを理解されたい。同様に、支柱１３４の後側部分１７２上の突出部の間の陥凹領域が、代わりに支柱係合機構１８６と称されてもよく、図示の支柱係合機構１８６は「陥凹部」と称されることを理解されたい。したがって、用語「突出部」及び「陥凹部」は、ソケット１３２と支柱１３４との間の相対的な係合を説明するためにあくまで一例として使用されるものであって、限定的なものではないことが、当業者に理解されるであろう。
【００４３】
加えて、ソケット１３２及び支柱１３４の相対回転を更に改善するために、ソケット係合機構１６６及び支柱係合機構１８６の一方又は両方は、面取りされた表面を含み得、ソケット１３２及び支柱１３４が互いに対して回転する際に、係合機構１６６、１８６がカムとなって相互の係合及び係合解除を可能にする。あくまで一例として、図１〜６に示す実施形態では、図５及び６に明確に示すように、ソケット係合機構１６６及び支柱係合機構１８６の半径方向に延在する壁のそれぞれは面取りがなされ、過度の力を必要とせずに、ソケット１３２及び支柱１３４が互いに対して回転することを可能にする。
【００４４】
いくつかの実施形態では、図５及び６に示すように、旋回アセンブリ１０６は、旋回アセンブリ１０６の中心を通過する縦方向軸線Ｂを含み得る。ソケット係合機構１６６及び支柱係合機構１８６は、ソケット係合機構１６６及び支柱係合機構１８６が、縦方向軸線Ｂについてそれぞれ鏡面対称性を有するように構成され得る。加えて、バネ１３６も、縦方向軸線Ｂについて鏡面対称性を有する。そのような鏡面対称性又は軸対称性は、共通部品を許容し得る。即ち、ヘッドギア１００の左側又は右側のどちらにも、同一のソケット１３２、支柱１３４、及びバネ１３６（並びに旋回アセンブリ１０６）が使用され得る。加えて、いくつかの実施形態では、図示の実施形態のように、ソケット係合機構１６６及び支柱係合機構１８６の一方又は両方は、１つ以上の回転対称中心線を含み得る。例えば図示のソケット係合機構１６６は、回転の軸線Ａを中心として回転対称であり、図示の支柱係合機構１８６は、軸線Ａを中心として回転対称である。
【００４５】
ソケット係合機構１６６及び支柱係合機構１８６は、あくまで一例として示されるものであって、本開示の趣旨及び範囲から逸脱することなく、様々な異なる係合機構が使用され得ることを理解されたい。例えば、定量的な相対的回転運動を達成するために、異なる数の係合機構１６６、１８６が使用可能であり、ソケット係合機構１６６の数は支柱係合機構１８６の数と等しくなくともよく、係合機構の他の形状が使用可能であり、係合機構はより多い対称中心線又は少ない対称中心線を含み得、他の相対的寸法を使用することが可能であり（例えば、１つのソケット係合機構１６６と１つの支柱係合機構１８６との間の相対的寸法）、他の回転止め及びカム機構が使用され得る。
【００４６】
図２及び４に示すように、支柱１３４の少なくとも一部分は、ハウジング１３０の第２開口１５２内に受容されてソケット１３２にアクセスするように寸法決めされる。即ち、支柱１３４は、第２の方向Ｄ２に沿って、支柱１３４の少なくとも一部分をハウジング１３０の第２開口１５２内に移動させることにより、ハウジング１３０に結合され得る。支柱１３４は、以下で更に詳しく述べるように、バネ１３６を用いて、ソケット１３２及びハウジング１３０に固定され得る。
【００４７】
ソケット１３２及び支柱１３４は、ソケット１３２と支柱１３４との間の適切な連携及び係合を確実にするために必要なレベルの剛性及び寸法安定性を提供する様々な材料から形成され得る。ソケット１３２及び支柱１３４は、同一又は異なる材料から形成され得る。ソケット及び／又は支柱の好適な材料としては、金属（例えば、ステンレス鋼、亜鉛、アルミニウム、等）、高分子材料（例えば、アセタール、ポリプロピレン、ポリエチレン、等）の少なくとも一方、及びこれらの組み合わせを挙げることができるが、それらに限定されない。
【００４８】
バネ１３６は、例えばバネ１３６を第１の方向Ｄ１に沿ってハウジング１３０内に移動させることにより、ハウジング１３０の底部スロット１５０を経てハウジング１３０の内側部１３８内に受容されるように形成され、寸法決めされる。バネ１３６は、あくまで一例として図１〜６に示す実施形態で示されており、ほぼＵ形の板バネであって、バネ１３６は、基部１８５、基部１８５から上方に延出する２つの突起部１８７、２つの内縁部１８８、及び２つの外縁部１８９を含む。内縁部１８８は、「Ｕ」の内側部分の曲線を形成し、支柱１３４の円筒形シャフト１７４を受容して当接するように寸法決めされる。外縁部１８９は、実質的に直線状で、バネ１３６がハウジング１３０内に配置されたとき、ハウジングの側壁１４６と平行となり得る。図示の実施形態では、バネ１３６がハウジング１３０内に挿入される際、バネ１３６の２つの突起部１８７は、支柱１３４のシャフト１７４の両側に沿ってそれぞれ移動する。
【００４９】
支柱１３４の後側部分１７２は、ソケット１３２に係合するべく第２開口１５２内に受容されるように寸法決めされ、更に、シャフト１７４から半径方向外側に延出する後側環状フランジ１９０を含む。この環状フランジ１９０の後側部分は、支柱１３４の後側表面１８４を形成する。バネ１３６の突起部１８７は、後側環状フランジ１９０の外径よりも短い距離で離間しているため、突起部１８７は、支柱１３４の後側環状フランジ１９０に係合する。バネ１３６の突起部１８７は、曲線状の断面形状（図４参照）を含み得、支柱１３４の後側環状フランジ１９０に対して、ほぼ第２の方向Ｄ２で付勢力を提供する。この曲線状の断面形状は、あくまで一例として図示の実施形態で示すものであって、付勢力を提供するために、他の好適な断面形状が使用され得る。結果として、この付勢力は、支柱１３４の後側部分１７２をハウジング１３０内に保持し、支柱係合機構１８６を付勢してソケット係合機構１６６に係合させる。バネ１３６は、支柱１３４がソケット１３２に対して回転することを可能にし、支柱１３４及びソケット１３２が互いに対して回転する際に、支柱係合機構１８６が移動してソケット係合機構１６６と係合及び係合解除することを可能にするような、所望の量の屈曲を更に含み得る。特に、バネ１３６は、シールド１０４が、所望に応じて、開放位置１０５、閉鎖位置１０７、又はその中間のいずれかにおいて維持され得るように、シールド１０４のヘッドトップ１０２に対する開放位置１０５と閉鎖位置１０７との間での移動に対する所望の量の抵抗力を提供するのに必要な力を蓄える。
【００５０】
バネ１３６の基部１８５は、基部１８５の本体部１９４に対して一定の角度で（例えば、約９０度で、図４参照）配向され、ハウジング１３０の前壁１４２の、底部スロット１５０を形成する部分を覆って適合する第１タブ１９２を含み得る。加えて、又は別の方法としては、バネ１３６は、２つの突起部１８７の中間に位置決めされる第２タブ１９６を含み得る。この第２タブ１９６は、基部１８５の本体部１９４に対して一定の角度で（例えば、約９０度で、図４参照）配向され、ハウジング１３０の第２開口１５２の下側部分を覆って適合するように寸法決めされる（図４及び５参照）。バネ１３６に蓄えられた力は、バネ１３６の基部１８５を、ほぼ第４の方向Ｄ４で、ハウジング１３０の前壁１４２に向けて更に付勢して、第１タブ１９２及び／又は第２タブ１９６をハウジング１３０と係合させるように付勢し得る。図４〜６に示すように、第４の方向Ｄ４は、第２の方向Ｄ２と実質的に対向して配向される。
【００５１】
結果として、バネ１３６は、旋回アセンブリ１０６を組み立てられた状態（図２及び４参照）に固定する追加的機能を有するように構成可能であり、バネ１３６の基部１８５は、旋回アセンブリ１０６の分解機構としての機能を果たし得る。例えば、旋回アセンブリ１０６が組み立てられた状態のときに、バネ１３６の基部１８５を、ヘッドトップ１０２に向けて後方に（即ち、実質的に第２の方向Ｄ２で、図４の右手側に向けて）押し付けて、第１タブ１９２及び第２タブ１９６をハウジング１３０との係合から解放することができる。同時に、バネ１３６を、第１の方向Ｄ１とは実質的に対向して配向された第３の方向Ｄ１で、ハウジング１３０から下方に引き出して、バネ１３６をハウジング１３０から取り外すことができる。
【００５２】
いくつかの実施形態では、図示の代表的な実施形態で示すように、バネ１３６は、ハウジング１３０及び支柱１３４と係合して、（ｉ）ハウジング１３０の後壁１４４に向けたソケット１３２、（ｉｉ）ソケット１３２の突出部１６０の、ハウジング１３０の後壁上の陥凹部１６２との係合、（ｉｉｉ）支柱係合機構１８６の、ソケット係合機構１６６との係合、及び（ｉｖ）バネ１３６の基部１８５の、ハウジング１３０との係合、を維持し、（ｉ）ソケット１３２の、底部スロット１５０を経たハウジング１３０からの脱落、（ｉｉ）支柱１３４の、第２開口１５２を経たハウジング１３０からの脱落、及び（ｉｉｉ）十分な分解力がバネ１３６の基部１８５に加えられる以前の、バネ１３６の、ハウジング１３０からの脱落、を阻止する一方で常に、バネ１３６の付勢力に打ち勝って、その結果、支柱係合機構１８６を移動させてソケット係合機構１６６との係合を解除させるための十分なトルクが支柱１３４（又はソケット１３２）に加えられたときには、支柱１３４（即ち、シールド１０４）及びソケット１３２（即ち、ヘッドトップ１０２）が、互いに対して回転することを可能にするために必要な付勢力を提供する。
【００５３】
したがってバネ１３６は、支柱１３４及びソケット１３２を同時に付勢するように機能し、旋回アセンブリ１０６を組み立てられた状態で固定する機能も果たし得る。このように、旋回アセンブリ１０６は、容易な組み立て及び分解に適合されており、外部ツールの使用を必要としない。加えて、図示の旋回アセンブリ１０６の各構成要素は、ヘッドギア１００の左側又は右側で共通であり、その部品は、個々に交換することが可能である。上述のように、旋回アセンブリ１０６のいくつかの実施形態は、隣接する構成要素間に１つ以上の配向機構を提供し、そのため構成要素は１つの配向にのみ組み立てられ得る。更に、バネ１３６は、旋回アセンブリ１０６を組み立てられた状態に維持するための調整を必要とせずに、シールド１０４とヘッドトップ１０２との間の必要な相対回転を可能とするための十分な付勢力及び保持力を常に提供し得る。
【００５４】
バネ１３６は、寸法安定性を有し、かつ必要なバネ定数を有するか、又は有するように適合され得る様々な材料から形成され得る。好適なバネ材料の例としては、金属、（例えば、炭素鋼、ステンレス鋼、時計バネ鋼、ベリリウム銅、等）、高分子材料（例えば、アセタール、ポリカーボネート、等）、エラストマー材（例えば、ウレタン、合成又は天然ゴム、等）のうちの少なくとも１つ、及びこれらの組み合わせを挙げることができるが、それらに限定されない。
【００５５】
使用する際、ヘッドギア１００は、旋回アセンブリ１０６を用いて、シールドフレーム１２０の上部１２８をヘッドトップ１０２の陥凹部１１４に結合させることにより組み立てることができる。簡潔化するため、ヘッドギア１００の一方の側部のみが詳細に説明されるが、同一の説明がヘッドギア１００の両側に適用され得、両側が同時に又は順次、結合され得ることを理解されたい。以下の代表的な結合及び分離の手順は、図示の１つの実施形態に関して説明されるものであるが、しかしながら、いくつかの工程は、本開示の全ての実施形態にとって必要とはされない場合があることを理解されたい。
【００５６】
ソケット１３２は、第１の方向Ｄ１に沿って、ハウジング１３０の内側部１３８内に移動され得る。ソケット１３２が、第１の方向Ｄ１に沿って移動される際に、外向きに突き出る突出部１５８が、ハウジング１３０の内側表面１４８に沿ってカムとなり、突出部１５８がハウジング１３０の側壁１４６の陥凹部１５９と係合して嵌まり込むまで（又は、陥凹部１５９がない場合は、ソケット１３２がハウジング１３０の側壁１４６と締まり嵌めを形成するまで）、薄い壁１５５が屈曲される。加えて、ソケット１３０の、後方に突き出る突出部１６０は、ソケット１３２がハウジング１３０内に配置される際に、ハウジング１３０の後壁１４４上の陥凹部１６２内に配置される。支柱１３４は、フランジ１７６及び配向リブ１７７が、シールドフレーム１２０のポケット部１７８内に受容され、支柱１３４の後側部分１７２が、ポケット部１７８の後部の後部開口１８２を通って受容されるまで、第２の方向Ｄ２で移動されることにより、シールドフレーム１２０の上部１２８に結合され得る。支柱１３４の後側部分１７２は次に、支柱１３４の後側部分１７２が、ハウジング１３０の第２開口１５２を通って受容され、支柱係合機構１８６が、ソケット係合機構１６６と少なくとも部分的に係合して配置されるまで、シールドフレーム１２０の上部１２８及び支柱１３４を、ほぼ第２の方向Ｄ２に沿って移動させることにより、ソケット１３２に結合され得る。いくつかの実施形態では、最初に支柱１３４がシールドフレーム１２０に結合され得、次に支柱１３４及びシールドフレーム１２０がハウジング１３０に結合され得る。あるいは、いくつかの実施形態では、最初にシールドフレーム１２０の上部１２８がヘッドトップ１０２の陥凹部１１４内に配置され得、次に支柱１３４がシールドフレーム１２０及びハウジング１３０に同時に結合され得る。
【００５７】
バネ１３６が、次に第１の方向Ｄ１でハウジング１３０の底部スロット１５０内に移動され得、２つの突起部１８７が、支柱１３４の円筒形シャフト１７４に沿って滑らされ、支柱１３４の後部環状フランジ１９０に係合し得る。バネ１３６は、バネ１３６が支柱１３４の円筒形シャフト１７４に当接するまで、及び／又はバネ１３６の第１タブ１９２及び第２タブ１９６がハウジング１３０の前壁１４２に係合するまで、第１の方向Ｄ１で移動され得る。シールド１０４が、次にバネ１３６の抵抗力に勝ることにより、ヘッドトップ１０２に対して回転され、支柱係合機構１８６を移動させてソケット係合機構１６６と係合解除させ得る。
【００５８】
シールド１０４は、旋回アセンブリ１０６を分解し、シールドフレーム１２０の上部１２８をヘッドトップ１０２の陥凹部１１４から分離することによって、ヘッドトップ１０２から取り外され得るが、これらは同時に又は順次に行われ得る。バネ１３６の基部１８５は、後方（即ち、ハウジング１３０の後壁１４４に向けて、ほぼ第２の方向Ｄ２で）、及び下向きの第３の方向Ｄ３に押し付けられて、バネ１３６をハウジング１３０の内側部１３８から取り外すことができる。バネ１３６がハウジング１３０から取り外される際に、突起部１８７は、支柱１３４の後部環状フランジ１９０と係合解除するように滑らされ、支柱１３４は、その後はソケット１３２と接触するように付勢されることはない。結果として、支柱１３４は、実質的に第２の方向Ｄ２に対向する第４の方向Ｄ４に沿って、支柱１３４をハウジング１３０の第２開口から移動させることにより、取り外され得る。支柱１３４がハウジング１３０から取り外される際に、支柱１３４はシールドフレーム１２０のポケット部１７８からも取り外され得、シールドフレーム１２０をヘッドトップ１０２から分離することが可能になる。あるいは、シールドフレーム１２０及び支柱１３４が、ヘッドトップ１０２から同時に分離され得、支柱１３４が次にシールドフレーム１２０から取り外され得る。ソケット１３２は、ソケット１３２をハウジング１３０の底部スロット１５０から第３の方向で移動させることにより、ハウジング１３０の内側部１３８から取り外され得る。ソケット１３２がハウジング１３０から取り外される際には、外向きに突き出る突出部１５８が、ハウジング１３０の側壁１４６内の陥凹部１５９から分離され得、ソケット１３２の後方突出部１６０が、ハウジング１３０の後壁１４４内の陥凹部１６２から分離され得る。
【００５９】
上記に述べ、図面に示した実施形態はあくまで一例として示したものであり、本発明の概念及び原理に対する限定を目的としたものではない。したがって、当業者であれば、本発明の趣旨及び範囲から逸脱することなく各要素並びにその構成及び配置における様々な変更が可能である点は認識されるであろう。本発明の異なる特徴及び態様を以下の特許請求の範囲に記載する。
【図１】
2011516741.tif 000003
【図２】
2011516741.tif 000004
【図３】
2011516741.tif 000005
【図４】
2011516741.tif 000006
【図５】
2011516741.tif 000007
【図６】
2011516741.tif 000008
【国際調査報告】
2011516741.tif 000009
2011516741.tif 000010